(57)【要約】【課題】アウターロータの抜け止め作用を持ちながらステータに対する軸方向の着脱を自由に選択可能なロータ着脱式モータの提供。【解決手段】ポリゴンスキャナモータは、アウターロータＲのロータケース１０をステータ板１上に有し、アウターロータＲのステータ基板１から軸方向の抜去動に対してロータケース１０の外周面から径方向に張り出た外側鍔部Ｆの上面が当接するロータ抜け止め爪片１ａが切り起し成形されている。外側鍔部Ｆはロータ抜け止め爪片１ａが軸方向に通過可能な幅の切り欠き部Ｃを少なくとも１箇所に有し、ロータ抜け止め爪片１ａはアウターロータＲのコギング停止状態での切り欠き部Ｃに臨む位置とは周方向に偏った位置に配置されている。【選択図】      図３
2009232635.tif 000002
【特許請求の範囲】
【請求項１】
回転中心の周りに回転するアウターロータの構成要素として外周面又は内周面を持つ回転部材をステータ基板上に有し、前記アウターロータの前記ステータ基板から軸方向の抜去動に対して前記回転部材の外周面又は内周面から径方向に張り出た鍔部の上面が当接するロータ抜け止め部材をステータ部材に設けたロータ着脱式モータであって、
前記鍔部は前記ロータ抜け止め部材が軸方向に通過可能な幅の切り欠き部を少なくとも１箇所に有し、前記ロータ抜け止め部材は前記アウターロータのコギング停止状態での前記切り欠き部に臨む位置とは周方向に偏った位置に配置されて成ることを特徴とするロータ着脱式モータ。
【請求項２】
請求項１に記載のロータ着脱式モータにおいて、前記ロータ抜け止め部材は金属製の前記ステータ基板の一部を切り起して成ることを特徴とするロータ着脱式モータ。
【請求項３】
請求項１又は請求項２に記載のロータ着脱式モータにおいて、前記回転部材はロータケースであることを特徴とするロータ着脱式モータ。
【請求項４】
請求項３に規定するロータ着脱式モータにおいて、前記ロータケース上にポリゴンミラーを搭載して成ることを特徴とするポリゴンスキャナモータ。
【発明の詳細な説明】
【技術分野】
【０００１】
本発明は、ポリゴンスキャナモータやディスク駆動装置などに関し、特に、ロータ抜け止め部材を備えたロータ着脱式モータに関する。
【背景技術】
【０００２】
例えば特開平７−１５９０５に開示のファンモータは、ロータケースの周壁部の内周側にロータマグネットを取着してステータ基板上を回転可能なアウターロータを備え、回転軸の係止溝に係り止まる抜け止め爪をスラスト受け部材に設けたものが知られている。この抜け止め爪と係止溝との係合によって、回転軸すなわちアウターロータのステータ基板からの抜けを防止できる。
【特許文献１】特開平７−１５９０５（図１、図２）
【発明の開示】
【発明が解決しようとする課題】
【０００３】
しかしながら、上記の抜け止め構造においては、抜け止め爪と係止溝とが一度係合すると、完成品の性能テストなどの結果に応じて、不具合のアウターロータを抜き出せなくなるため、正常なアウターロータに交換することができず、モータの歩留まりの向上に支障を生じる。
【０００４】
そこで上記問題点に鑑み、本発明の課題は、アウターロータの抜け止め作用を持ちながらステータに対する軸方向の着脱を自由に選択可能なロータ着脱式モータを提供することにある。
【課題を解決するための手段】
【０００５】
上記課題を解決するため、本発明は、回転中心の周りに回転するアウターロータの構成要素として外周面又は内周面を持つ回転部材をステータ基板上に有し、アウターロータのステータ基板から軸方向の抜去動に対して回転部材の外周面又は内周面から径方向に張り出た鍔部の上面が当接するロータ抜け止め部材をステータ部材に設けたロータ着脱式モータであって、鍔部はロータ抜け止め部材が軸方向に通過可能な幅の切り欠き部を少なくとも１箇所に有し、ロータ抜け止め部材はアウターロータのコギング停止状態での切り欠き部に臨む位置とは周方向に偏った位置に配置されて成ることを特徴とする。
【０００６】
アウターロータをステータに装着するときは、軸を少し差し込んでからアウターロータを手回しで切り欠き部をロータ抜け止め部材に合わせた後、軸を最後まで差し込めば良い。このため、アウターロータのステータ装着後にロータ抜け止め部材を設けなくても済む。アウターロータの回転停止の終期はコギング停止状態となるが、ロータ抜け止め部材はアウターロータのコギング停止状態での切り欠き部に臨む位置とは周方向に偏った位置に配置されているため、切り欠き部はロータ抜け止め部材とは合致しないので、万が一、アウターロータに抜去力が作用しても、ロータ抜け止め部材が鍔部に当接した状態になるだけであり、アウターロータが抜け止めされている。性能テストなどの結果、アウターロータを抜去する場合は、アウターロータを手回しで切り欠き部をロータ抜け止め部材に合わせた後、抜き取れば良い。
【０００７】
ロータ抜け止め部材としてはステータ基板に樹脂製などの別部品を設けても構わないが、部品点数の削減を図るためには、金属製のステータ基板の一部を切り起して成ることが望ましい。
【０００８】
回転部材としては、回転軸でも構わないが、鍔部の形成の容易さを考慮すると、ロータケースであることが好ましい。この場合、鍔部は外側鍔部に限らず、内側鍔部としても良い。
【０００９】
なお、このロータ着脱式モータはロータケース上にポリゴンミラーを搭載して成るポリゴンスキャナモータなどに適用できる。
【発明の効果】
【００１０】
本発明は、アウターロータの抜け止め作用を持ちながらステータに対する軸方向の着脱を自由に選択可能なロータ着脱式モータを実現できる。
【発明を実施するための最良の形態】
【００１１】
次に、本発明の一実施形態を添付図面に基づいて説明する。図１は本発明の実施例に係るポリゴンスキャナモータを示す斜視図、図２は同ポリゴンスキャナモータを示す半縦断面図である。
【００１２】
本例のポリゴンスキャナモータは流体動圧軸受装置を有するブラシレスモータで、この流体動圧軸受装置は、金属製ステータ板１にカシメ固定で起立した軸受ハウジング２と、この軸受ハウジング２の下端側にカシメ固定で中空部２ａを塞ぎ、中空部２ａの上側から挿入した回転軸５の軸端を受けるスラスト板３と、軸受ハウジング２内に挿入されたラジアル軸受４と、中空部２ａ内の潤滑流体の流体溜まりＬと、回転軸５が通る軸挿通孔６ａを有し、中空部２ａの上端側を塞ぐ環状シール部材６とを備えて成る。軸受ハウジング２はその外周に積層コア７を有しており、この積層コア７にはコイル巻線８が巻装されている。
【００１３】
一方、アウターロータＲは、回転軸５のうち環状シール部材６から軸方向上方へ突出した部分に嵌合固定された切削加工品の回転盤９と、この回転盤９のうち下向き筒状部又は環状突起のミラー載置部９ａのカシメ突起Ｓでカシメ固定されて内周側にマグネットＭを持つロータケース（ロータヨーク）１０と、ミラー載置部９ａの上に載置されたポリゴンミラー１１と、回転軸５に螺合する止めネジ１２でポリゴンミラー１１をミラー載置部９ａに押さえ込む押えバネ１３とを有する。
【００１４】
ロータケース１０は逆カップ状であり、その周壁部１０ａの外周面の下端から径方向外側に張り出た外側鍔部Ｆが一体成形されている。この外側鍔部Ｆにおける周方向９０°毎には切り欠き部Ｃが形成さている。他方、金属製ステータ板１の一部にはロータ抜け止め爪片１ａが切り起し形成されており、その頭部Ｈが外側鍔部Ｆの上方に位置している。この頭部Ｈの幅は切り欠き部Ｃの幅よりも狭くなっている。
【００１５】
本例のマグネットＭは磁極数１２の環状マグネットであり、ステータのコイル巻線８は３相となっているため、アウターロータＲは周方向１０°毎の３６ポイントでコギング停止位置を持つ。図３はアウターロータのコギング停止状態の一例を示す平面図であるが、ロータ抜け止め爪片１ａはコギング停止状態での切り欠き部Ｃに臨む位置とは周方向に５°偏った位置に配置されている。切り欠き部Ｃは必ずしも図３に示す状態でコギング停止するものではないが、４箇所の切り欠き部Ｃの停止位置はロータ抜け止め爪片１ａから５°，１５°，２５°，３５°，４５°のいずれかの角度でずれた位置に停止する。
【００１６】
アウターロータＲをステータに装着するときは、図４に示す如く、回転軸５を少しラジアル軸受４に差し込んでからアウターロータＲを手回しで切り欠き部Ｃをロータ抜け止め爪片１ａの頭部Ｈに合わせた後、回転軸５を最後まで差し込めば良い。このため、アウターロータＲのステータ装着後にロータ抜け止め部材を設けなくても済むため、金属製ステータ板１の打ち抜き成形時にロータ抜け止め爪片１ａを成形でき、部品点数及び組付工程を削減できる。アウターロータの回転停止の終期はコギング停止状態となり、例えば図３に示す状態で停止するが、ロータ抜け止め爪片１ａはアウターロータＲのコギング停止状態での切り欠き部Ｃに臨む位置とは周方向に偏った位置に配置されているため、切り欠き部Ｃはロータ抜け止め爪片１ａとは合致しないので、万が一、アウターロータＲに抜去力が作用しても、ロータ抜け止め爪片１ａが外側鍔部Ｆに当接した状態になるだけであり、アウターロータＲが抜け止めされている。性能テストなどの結果、アウターロータＲを抜去する場合は、図４に示す如く、アウターロータＲを手回しで切り欠き部Ｃをロータ抜け止め爪片１ａに合わせた後、抜き取れば良い。
【００１７】
なお、上記実施例では外側鍔部Ｆに切り欠き部Ｃを形成してあるが、周壁部１０ａの内側に内側鍔部を形成し、この内側鍔部に切り欠き部を設けても良い。
【図面の簡単な説明】
【００１８】
【図１】本発明の実施例に係るポリゴンスキャナモータを示す外観斜視図である。
【図２】同ポリゴンスキャナモータを示す半縦断面図である。
【図３】ポリゴンスキャナモータのアウターロータのコギング停止状態の一例を示す平面図である。
【図４】同アウターロータを着脱する際のアウターロータ合わせ位置を示す平面図である。
【符号の説明】
【００１９】
１…金属製ステータ板
１ａ…ロータ抜け止め爪片
２…軸受ハウジング
２ａ…中空部
３…スラスト板
４…ラジアル軸受
５…回転軸
６ａ…軸挿通孔
６…環状シール部材
７…積層コア
８…コイル巻線
９…回転盤
９ａ…ミラー載置部
１０…ロータケース（ロータヨーク）
１０ａ…周壁部
１１…ポリゴンミラー
１２…止めネジ
１３…押えバネ
Ｃ…切り欠き部
Ｆ…外側鍔部
Ｈ…頭部
Ｌ…流体溜まり
Ｍ…マグネット
Ｒ…アウターロータ
Ｓ…カシメ突起
【図１】
2009232635.tif 000003
【図２】
2009232635.tif 000004
【図３】
2009232635.tif 000005
【図４】
2009232635.tif 000006